(57)【要約】【課題】  冷却サイクル機構を構成する各機器にアクセスし易くした冷蔵庫において、冷蔵庫筐体の分割箇所に結露が生じ難くする。【解決手段】  庫内空間を形成する外壁を備えた冷蔵庫筐体と、前記庫内空間を冷却する冷却サイクル機構とを具備し、前記冷蔵庫筐体が、前記外壁を分割して形成された少なくとも二つの筐体要素を備え、前記二つの筐体要素が、互いに外壁の端面同士を対向させて着脱可能に接続するものであり、前記冷却サイクル機構が、前記いずれかの筐体要素の端面に沿って庫内側に配置される蒸発器を備え、前記両筐体要素を接続した状態において、前記両端面間における庫内外への空気の流入出を遮断すると共に、前記両端面間に空気の流入出が制限された空気層を形成するシール機構をさらに備える。【選択図】図５
2020038044.tif 000002
【特許請求の範囲】
【請求項１】
庫内空間を形成する外壁を備えた冷蔵庫筐体と、
前記庫内空間を冷却する冷却サイクル機構とを具備し、
前記冷蔵庫筐体が、前記外壁を分割して形成された少なくとも二つの筐体要素を備え、
前記二つの筐体要素が、互いに外壁の端面同士を対向させて着脱可能に接続するものであり、
前記冷却サイクル機構が、前記いずれかの筐体要素の端面に沿って庫内側に配置される蒸発器を備え、
前記両筐体要素を接続した状態において、前記両端面間における庫内外への空気の流入出を遮断すると共に、前記両端面間に空気の流入出が制限された空気層を形成するシール機構をさらに備えていることを特徴とする冷蔵庫。
【請求項２】
前記蒸発器が、前記庫内空間を冷却する気体を導入面から導入して再冷却した後に導出面から導出するものであって、前記導出面を前記いずれかの筐体要素の端面に沿って配置しており、
前記シール機構が、前記導出面に沿った位置に前記空気層を形成するものである請求項１記載の冷蔵庫。
【請求項３】
前記両筐体要素の外壁が、いずれも断熱材を当該断熱材よりも熱伝導率の高い外装材によって被覆した構造を有し、
前記両端面が、前記外装材によって構成されている請求項１又は２のいずれかに記載の冷蔵庫。
【請求項４】
前記両端面の少なくとも一部が、庫内側から庫外側へ向かって傾斜している請求項１乃至３のいずれかに記載の冷蔵庫。
【請求項５】
前記シール機構が、
前記両端面間を周方向へ周回するように配置され、当該両端面間に挟圧されて当該両端面間に隙間を形成するシール部材と、
前記両端面間に形成された隙間を仕切って前記空気層を形成する仕切部材とを備えている請求項１乃至４のいずれかに記載の冷蔵庫。
【請求項６】
前記仕切部材が、前記両端面間に形成された隙間を仕切って前記シール部材との間に前記空気層を形成するものである請求項５記載の冷蔵庫。
【請求項７】
前記仕切部材が、前記両端面間に形成された隙間を枠状に仕切って前記空気層を少なくとも一つ形成するものである請求項５記載の冷蔵庫。
【請求項８】
前記仕切部材が、前記両端面のうちで少なくとも一方の端面を構成する外装材を他方の端面に向けて隆起させて形成されたものである請求項５乃至７のいずれかに記載の冷蔵庫。
【請求項９】
前記シール機構が、
前記両端面間を周方向へ周回すると共に、当該両端面間に挟圧されて当該両端面間に隙間を形成するシール部材と、
前記両筐体要素の庫外側を向く外面に対し、前記両端面間の隙間を塞ぐように取り付けられる閉塞部材とを備えている請求項１乃至４のいずれかに記載の冷蔵庫。
【請求項１０】
前記空気層内に乾燥剤が封入されている請求項１乃至９のいずれかに記載の冷蔵庫。
【請求項１１】
前記冷蔵庫筐体が、一方の筐体要素が前記庫内空間の主要部分を形成するものであり、他方の筐体要素が前記一方の筐体要素に接続されて当該一方の筐体要素と共に前記庫内空間の一部分を形成するものである請求項１乃至１０のいずれかに記載の冷蔵庫。
【請求項１２】
前記他方の筐体要素が、庫外側に機械室を形成するものであり、
前記冷却サイクル機構が、前記他方の筐体要素の庫内側に配置され、当該他方の筐体要素の端面に沿って配置される蒸発器と、前記機械室に収容されて前記他方の筐体要素と共に前記一方の筐体要素から切り離すことができる圧縮機及び凝縮器を備えている請求項１１記載の冷蔵庫。
【請求項１３】
前記一方の筐体要素が、前記庫内空間を貯蔵室と当該貯蔵室を冷却する気体を再冷却する再冷却室とに区分けする隔壁をさらに備え、
前記他方の筐体要素が、前記一方の筐体要素に接続されて当該一方の筐体要素及び前記隔壁と共に前記再冷却室を形成するものであり、
前記蒸発器が、前記他方の筐体要素の庫内側に設置された状態で前記再冷却室内に収容されている請求項１１又は１２のいずれかに記載の冷蔵庫。
【発明の詳細な説明】
【技術分野】
【０００１】
本発明は、冷蔵庫に関するものである。
【背景技術】
【０００２】
従来の冷蔵庫として、例えば、特許文献１には、庫内空間を形成する冷蔵庫筐体と、庫内空間を冷却する各機器を備える冷却サイクル機構とを備え、冷蔵庫筐体の所定箇所に冷却サイクル機構を集約して配置した構造のものが開示されている。
【０００３】
前記特許文献１に開示された冷蔵庫においては、冷却サイクル機構を構成する各機器に対して一度にアクセスすることができるため、メンテナンスし易いという利点がある。
【０００４】
一方、冷却サイクル機構を構成する各機器のうちで蒸発器は、庫内空間に配置する必要がある。このため、冷却サイクル機構を構成する他の機器と同様に蒸発器にアクセスし易くしようとすると、庫内空間を形成する冷蔵庫筐体の一部を分割して取り外すことができるようにする必要がある。
【０００５】
しかし、冷蔵庫筐体を分割すると、その分割箇所で庫内外への熱伝導が生じ易くなる。さらに、蒸発器は、庫内空間を冷却する気体を再冷却する役割を果たすものであり、庫内空間の中でも蒸発器近傍の温度が特に低くなる。その結果、前記特許文献１に開示された冷蔵庫のように、冷蔵庫筐体を蒸発器近傍で分割すると、その分割箇所の庫内外で大きな温度差が生じ、冷蔵庫筐体の庫外側を向く外面に結露が発生し易くなるという問題があった。
【先行技術文献】
【特許文献】
【０００６】
【特許文献１】特開平８−２４７６１８号公報
【発明の概要】
【発明が解決しようとする課題】
【０００７】
そこで、本発明は、冷却サイクル機構を構成する蒸発器にアクセスし易くした冷蔵庫において、冷蔵庫筐体の分割箇所に結露が生じ難くすることを主な課題とするものである。
【課題を解決するための手段】
【０００８】
すなわち、本発明に係る冷蔵庫は、庫内空間を形成する外壁を備えた冷蔵庫筐体と、前記庫内空間を冷却する冷却サイクル機構とを具備し、前記冷蔵庫筐体が、前記外壁を分割して形成された少なくとも二つの筐体要素を備え、前記二つの筐体要素が、互いに外壁の端面同士を対向させて着脱可能に接続するものであり、前記冷却サイクル機構が、前記いずれかの筐体要素の端面に沿って庫内側に配置された蒸発器を備え、前記両筐体要素を接続した状態において、前記両端面間における庫内外への空気の流入出を遮断すると共に、前記両端面間に空気の流入出が制限された空気層を形成するシール機構をさらに備えていることを特徴とするものである。
【０００９】
このようなものであれば、庫内空間の主要部分を形成する一方の筐体要素から、他方の筐体要素を切り離すことにより、庫内空間に配置された蒸発器にも容易にアクセスできるため、メンテナンス性が向上する。一方、庫内空間で特に温度の低い気体が集まる蒸発器近傍で両筐体要素が互いの外壁の端面同士を接続した状態となるが、シール機構によって両端面間に空気層を形成したので、この空気層が断熱層の役割を果たし、両端面間における庫内外への熱伝導が緩和される。具体的には、両端面間において庫内側から庫外側へ熱が伝達され難くなり、冷蔵庫筐体の外面における両端面付近に結露が発生することを防止できる。
【００１０】
また、庫内空間の蒸発器近傍において、蒸発器から再冷却された気体が導出される導出面付近の温度が更に低下する。そこで、前記蒸発器が、前記庫内空間を冷却する気体を導入面から導入して再冷却した後に導出面から導出するものであって、前記導出面を前記いずれかの筐体要素の端面に沿った位置に配置しており、前記シール機構が、前記導出面に沿って前記空気層を形成するものであってもよい。
【００１１】
このようなものであれば、庫内空間でより低い温度の空気が集まる蒸発器の導出面側に位置する両端面間にシール機構によって空気層が形成されるため、両端面間における庫内外への熱伝導が緩和される。これにより、両端面の位置を蒸発器に近づけることができるようになり、蒸発器が設置された筐体要素をより小型化することができる。
【００１２】
また、前記両筐体要素の外壁が、いずれも断熱材を当該断熱材よりも熱伝導率の高い外装材によって被覆した構造を有し、前記両端面が、前記外装材によって構成されているものであってもよい。
【００１３】
両筐体要素が、このような外壁構造を有する場合には、互いに対向する両端面部分に外装材が重なった状態で配置されることになる。このため、庫内外の熱が外装材を介してより伝達され易くなるが、シール機構によって空気層を形成することにより、この熱の伝達が抑制される。
【００１４】
また、前記両端面の少なくとも一部が、庫内側から庫外側へ向かって傾斜しているものであってもよい。
【００１５】
このようなものであれば、庫内外へ伝達される熱が空気層によって遮断され易くなる。
【００１６】
なお、シール機構の具体的な構成としては、前記シール機構が、前記両端面間を周方向へ周回するように配置され、当該両端面間に挟圧されて当該両端面間に隙間を形成するシール部材と、前記両端面間に形成された隙間を仕切って前記空気層を形成する仕切部材とを備えているものであってもよく、また、前記シール機構が、前記両端面間を周方向へ周回すると共に、当該両端面間に挟圧されて当該両端面間に隙間を形成するシール部材と、前記両筐体要素の庫外側を向く外面に沿って前記両端面間の隙間を塞ぐように取り付けられた閉塞部材とを備えているものであってもよい。
【００１７】
この場合、前記仕切部材が、前記両端面間に形成された隙間を仕切って前記シール部材との間に空気層を形成するものであってもよい。
【００１８】
このようなものであれば、両端面を周方向に周回するように空気層を形成することができる。
【００１９】
また、前記仕切部材が、前記両端面間に形成された隙間を枠状に仕切って前記空気層を少なくとも一つ形成するものであってもよい。
【００２０】
このようなものであれば、両端面の周方向に対して必要な箇所に適宜空気層を形成することができる。
【００２１】
また、前記両筐体要素の外壁が、いずれも断熱材を当該断熱材よりも熱伝導率の高い外装材によって被覆した構造を有している場合においては、前記仕切部材を、前記両端面のうちで少なくとも一方の端面を形成する外装材を他方の端面に向けて隆起させて形成してもよい。
【００２２】
また、前記空気層内に乾燥剤が封入されているものであってもよい。
【００２３】
このようなものであれば、空気層内が常に乾燥した状態に保たれるため、空気層内に結露が生じることを防止できる。なお、空気層内に結露が生じると、空気層の断熱機能が低下する。
【００２４】
また、前記冷蔵庫筐体が、一方の筐体要素が前記庫内空間の主要部分を形成するものであり、他方の筐体要素が前記一方の筐体要素に接続されて当該一方の筐体要素と共に前記庫内空間の一部分を形成するものであってもよい。
【００２５】
この場合、前記他方の筐体要素が、庫外側に機械室を形成するものであり、前記冷却サイクル機構が、前記他方の筐体要素の庫内側に配置され、当該他方の筐体要素の端面に沿って配置される蒸発器と、前記機械室に収容されて前記他方の筐体要素と共に前記一方の筐体要素から切り離すことができる圧縮機及び凝縮器を備えているものであってもよい。
【００２６】
このようなものであれば、一方の筐体要素から他方の筐体要素を切り離すことにより、一方の筐体要素から冷却サイクル機構も切り離すことができ、これにより、メンテナンス性がさらに向上する。
【００２７】
また、前記一方の筐体要素が、前記庫内空間を貯蔵室と当該貯蔵室を冷却する気体を再冷却する再冷却室とに区分けする隔壁をさらに備え、前記他方の筐体要素が、前記一方の筐体要素と着脱可能に接続されて当該一方の筐体要素及び前記隔壁と共に前記再冷却室を形成するものであり、前記蒸発器が、前記他方の筐体要素の庫内側に設置された状態で前記再冷却室内に収容されているものであってもよい。
【発明の効果】
【００２８】
このように構成した本発明によれば、冷却サイクル機構を構成する各機器にアクセスし易くした冷蔵庫において、冷蔵庫筐体の分割箇所に結露が生じ難くすることができる。
【図面の簡単な説明】
【００２９】
【図１】実施形態に係る冷蔵庫を示す斜視図である。
【図２】実施形態に係る冷蔵庫の第１筐体要素に対して第２筐体要素が接続された状態を模式的に示す断面図である。
【図３】実施形態に係る冷蔵庫の第１筐体要素に対して第２筐体要素が接続されていない状態を模式的に示す断面図である。
【図４】実施形態に係る冷蔵庫の第２筐体要素を含む冷却ユニットを模式的に示す斜視図である。
【図５】実施形態に係る冷蔵庫の第１筐体要素及び第２筐体要素の接続構造を模式的に示す部分断面図である。
【図６】他の実施形態に係る第１筐体要素及び第２筐体要素の接続構造を模式的に示す部分断面図である。
【図７】他の実施形態に係る第１筐体要素及び第２筐体要素の接続構造を模式的に示す部分断面図である。
【発明を実施するための形態】
【００３０】
以下に、本発明に係る冷蔵庫を図面に基づいて説明する。
【００３１】
本発明に係る冷蔵庫１００は、主に一般家庭で使用されるものである。但し、本発明は、家庭用の冷蔵庫に限定されず、業務用の冷蔵庫にも適用できる。なお、本発明に係る冷蔵庫は、冷蔵室及び冷凍室を備えるものだけでなく、冷蔵室のみを備えるもの、冷凍室のみを備えるものも含む。
【００３２】
＜実施形態＞  本実施形態に係る冷蔵庫１００は、図１及び図２に示すように、庫内空間ＩＳを形成する冷蔵庫筐体ＢＤと、庫内空間Ｓを冷却する各機器を備える冷却サイクル機構ＣＭと、を備えている。なお、本実施形態の冷却サイクル機構ＣＭは、各機器として、圧縮機２０、送風ファン２１、凝縮器２２、及び、二つ以上の蒸発器２３を備えている。
【００３３】
前記冷蔵庫筐体ＢＤは、両側面、背面（後面）、天面、及び、底面をそれぞれ外壁１０によって囲んだものであり、正面（前面）側に向かって開口している。そして、冷蔵庫筐体ＢＤには、開口を塞ぐように一対の開き戸Ｄがヒンジを介して取り付けられている。また、冷蔵庫筐体ＢＤは、図２に示すように、所定の分割面ＳＳに沿って二つの筐体要素ＢＤ１，ＢＤ２に分割されている。具体的には、冷蔵庫筐体ＢＤは、背面（後面）から底面へ延びる傾斜した分割面ＳＳに沿って二つの筐体要素ＢＤ１，ＢＤ２に分割されている。なお、前記二つの筐体要素ＢＤ１，ＢＤ２は、分割面ＳＳに現れる外壁１０の端面ＥＦ１，ＥＦ２を互いに対向させて接続される。
【００３４】
前記二つの筐体要素ＢＤ１，ＢＤ２のうちで、一方の筐体要素ＢＤ１（以下、第１筐体要素ＢＤ１ともいう）は、図２及び図３に示すように、庫内空間ＩＳの主要部分を形成するものであり、分割面ＳＳに対して正面側に配置されている。また、第１筐体要素ＢＤ１には、庫内空間ＩＳを形成する内側に、当該庫内空間ＩＳを正面側と分割面ＳＳ側とに区分けする隔壁１２が設けられている。そして、第１筐体要素ＢＤ１には、隔壁１２の正面側に一対の開き戸Ｄによって開閉される貯蔵室ＳＲが形成され、隔壁１２の分割面ＳＳ側に貯蔵室ＳＲを冷却する気体を再冷却するための再冷却室ＣＲの一部が形成される。
【００３５】
前記貯蔵室ＳＲには、上側に複数の棚１３が設置されており、下側に複数の引出し（図示せず）が設置されている。また、前記隔壁１２には、貯蔵室ＳＲから底面に沿って再冷却室ＣＲへ気体を取り込むための導入口１２ａが設けられており、再冷却室ＣＲから背面に沿って貯蔵室ＳＲへ気体を送り出すための導出口１２ｂが設けられている。そして、第１筐体要素ＢＤ１には、隔壁１２に設けられた導出口１２ｂから貯蔵室ＳＲへ伸びるダクト３０が設けられている。なお、ダクト３０には、貯蔵室ＳＲの各棚１３や引出しの高さ位置に合わせて導風口３０ａが形成されており、隔壁１２の導出口１２ｂ付近にファン３１が設けられている。
【００３６】
前記二つの筐体要素ＢＤ１，ＢＤ２のうちで、他方の筐体要素ＢＤ２（以下、第２筐体要素ＢＤ２ともいう）は、図２〜図４に示すように、第１筐体要素ＢＤ１に接続されて当該第１筐体要素ＢＤ１と共に再冷却室ＣＲを形成するものである。なお、第２筐体要素ＢＤ２は、庫外側に機械室ＭＲを形成しており、この機械室ＭＲに圧縮機２０、送風ファン２１、凝縮器２２を収容している。また、第２筐体要素ＢＤ２は、再冷却室ＣＲを形成する庫内側に二つの蒸発器２３を設置している。そして、第２筐体要素ＢＤ２及び冷却サイクル機構ＣＭは、いずれも制御ボックスＣＢと共に支持台Ｂ上に設置されて冷却ユニットを構成している。よって、第２筐体要素ＢＤ２は、冷却ユニットとして第１筐体要素ＢＤ１に対して着脱可能に接続できるようになっている。なお、冷却サイクル機構ＣＭを構成する各機器は、図示しない配管によって接続されており、その配管の一部は、機械室ＭＲ側の各機器と二つ以上の蒸発器２３とを接続するために第２筐体要素ＢＤ２を貫通している。
【００３７】
よって、前記第１筐体要素ＢＤ１及び前記第２筐体要素ＢＤ２を接続すると、庫内に貯蔵室ＳＲ及び再冷却室ＣＲが形成され、庫外に機械室ＭＲが形成される。そして、冷却サイクル機構ＣＭを構成する各機器のうちで、蒸発器２３は庫内の再冷却室ＣＲに収容され、圧縮機２０、送風ファン２１及び凝縮器２２は庫外の機械室ＭＲに収容される。そして、蒸発器２３は、隔壁１２の導入口１２ａから底面に沿って再冷却室ＣＲへ流れ込んだ気体を、導入面２３ａから導入して熱交換して再冷却した後、導出面２３ｂから背面に沿って隔壁１２の導出口１２ｂへ送り出すようになっている。
【００３８】
次に、第１筐体要素ＢＤ１及び第２筐体要素ＢＤ２の接続構造を詳述する。
【００３９】
前記第１筐体要素ＢＤ１及び前記第２筐体要素ＢＤ２は、冷蔵庫筐体ＢＤの外壁１０を切断する分割面ＳＳに沿って現われる端面ＦＳ１，ＦＳ２（以下、まとめて端面ＦＳともいう）を互いに対向させて接続されている。なお、冷蔵庫筐体ＢＤが背面から底面へ向かう傾斜した分割面ＳＳによって分割されていることから、第１筐体要素ＢＤ１及び第２筐体要素ＢＤ２の端面ＦＳは、背面に沿う部分及び底面に沿う部分がそれぞれ庫内外方向へ傾斜している。そして、両端面ＦＳ間には、両筐体要素ＢＤ１，ＢＤ２を接続した状態において、両端面ＦＳ間における庫内外への空気の流入出を遮断すると共に、両端面ＦＳ間に空気の流入出が制限された空気層ＡＳを形成するシール機構ＳＭが設けられている。
【００４０】
なお、前記第１筐体要素ＢＤ１及び前記第２筐体要素ＢＤ２の外壁１０は、図５に示すように、いずれも断熱材１０ａを当該断熱材１０ａよりも熱伝導率の高い外装材１０ｂによって被覆した構造を有している。このため、第１筐体要素ＢＤ１及び第２筐体要素ＢＤ２は、いずれも端面ＦＳを形成する外装材１０ｂ同士を対向させて接続される。
【００４１】
具体的には、前記シール機構ＳＭは、両端面ＦＳに沿って周方向へ周回するシール部材４０と、シール部材４０によって両端面ＦＳ間に形成された隙間を仕切って空気層ＡＳを形成する仕切部材４１と、を備えている。
【００４２】
前記シール部材４０は、庫内外への気体の流入出を抑制すると共に、両端面ＦＳ間に隙間を形成する役割を果たしている。具体的には、シール部材４０は、弾性を有する細幅状のものであり、いずれかの端面ＦＳに粘着剤等によって貼り付けられている。なお、本実施形態のシール部材４０は、図４に示すように、第２筐体要素ＢＤ２２の端面ＦＳ２における庫内側を周方向へ周回するように設けられている。
【００４３】
前記仕切部材４１は、シール部材４０によって両端面ＦＳ間に形成された隙間を仕切って空気層ＡＳを形成するものである。本実施形態の仕切部材４１は、第２筐体要素ＢＤ２の端面ＦＳ２を形成する外装材１０ｂと一体に形成されている。具体的には、仕切部材４１は、第２筐体要素ＢＤ２の端面ＦＳ２の外装材１０ｂを第１筐体要素ＢＤ１の端面ＦＳ１に向けて隆起させて形成されている。なお、仕切部材４１は、シール部材４０に沿わせて端面ＦＳ２の周方向へ周回するように形成されており、その一部に外装材１０ｂを端面ＦＳ１に向けて隆起せずに形成した複数の凹部４１ａを有している。これより、仕切部材４１は、複数の凹部４１ａを囲む枠状に形成されている。
【００４４】
そして、前記第１筐体要素ＢＤ１及び前記第２筐体要素ＢＤ２の端面ＦＳを、互いに対向させて接続すると、両端面ＦＳによってシール部材４０が挟圧された状態となり、シール部材４０によって両端面ＦＳ間に形成された隙間に仕切部材４１が介在した状態となる。そして、当該隙間は、仕切部材４１によって仕切られた空気層ＡＳが形成される。
【００４５】
＜その他の実施形態＞  前記実施形態におけるシール機構ＳＭの他の実施形態としては、次のような構造のものを挙げることができる。すなわち、図６（ａ）に示すシール機構ＳＭは、前記実施形態１に係るシール機構ＳＭにおける仕切部材４１の変形例である。具体的には、仕切部材４１が、シール部材４０と同様に弾性を有する細幅状のものであり、いずれかの端面ＦＳに粘着剤等によって貼り付けられている。そして、仕切部材４１は、両端面ＦＳ間を仕切るようにシール部材４０に沿って配置される。これにより、シール部材４０が、端面ＦＳの庫内側の内周に沿って周回し、仕切部材４１が、端面ＦＳの庫外側の外周に沿って周回し、シール部材４０及び仕切部材４１の間に両端面ＦＳの周方向を周回する気密性の高い空気層ＡＳが形成される。
【００４６】
この場合、図６（ａ）に示すシール機構ＳＭにおける仕切部材４１を図６（ｂ）に示すように、端面ＦＳ２を構成する外装材１０ｂを他方の端面ＦＳ１に向けて突出させたリブ状のものとしてもよい。さらに、図６（ｃ）に示すように、他方の端面ＦＳ２に嵌合溝１３を形成し、この嵌合溝１３にリブ状の仕切部材４１の先端側が嵌合するようにしてもよい。これにより、空気層ＡＳの気密性が向上する。
【００４７】
また、図６（ｄ）に示すシール機構ＳＭは、前記実施形態１に係るシール機構ＳＭの変形例である。具体的には、図６（ｄ）に示すシール機構ＳＭは、両端面ＦＳに沿って周方向へ周回するシール部材４０と、両筐体要素ＢＤ１，ＢＤ２の庫外側を向く外面に対し、両端面ＦＳ間の隙間を塞ぐように取り付けられた閉塞部材４２と、を備えている。これにより、シール部材４０及び閉塞部材４２の間に両端面ＦＳの周方向を周回する空気層ＡＳが形成される。なお、閉塞部材４２は、図６（ｄ）に示すようにテープ状のものを使用し、両筐体要素ＢＤ１，ＢＤ２の庫外側を向く外面を跨ぐように取り付ければよい。この場合、テープ状の閉塞部材４２を、粘着剤や接着剤等によって貼り付けてもよく、樹脂や金属等からなる取付具によって機械的に固定してもよい。
【００４８】
また、その他の実施形態として図７に示すように両端面ＦＳを締結機構によって締結するようにしてもよい。なお、締結機構は、例えば、図７（ａ）に示すように両端面ＦＳを構成する外装材１０ｂにネジ孔１４を連通するように設け、このネジ孔１４にネジ１５を差し込むように構成してもよい。また、図７（ｂ）に示すように一方の筐体要素ＢＤ１を構成する外装材１０ｂから他方の筐体要素ＢＤ２の外装材１０ｂに沿うように延びる延伸部１６を設け、この延伸部１６と他方の筐体要素ＢＤ２の外装材１０ｂとにネジ孔１４を連通するように設け、このネジ孔１４にネジ１５を差し込むように構成してもよい。
【００４９】
その他、本発明は前記各実施形態に限られず、その趣旨を逸脱しない範囲で種々の変形が可能であるのは言うまでもない。
【符号の説明】
【００５０】
１００  冷蔵庫
ＢＤ  冷蔵庫筐体
ＢＤ１  第１筐体要素
ＦＳ１  端面
ＢＤ２  第２筐体要素
ＦＳ２  端面
１０  外壁
１０ａ  断熱材
１０ｂ  外装材
１２  隔壁
ＣＭ  冷却サイクル機構
２０  圧縮機
２１  送風ファン
２２  凝縮器
２３  蒸発器
２３ａ  導入面
２３ｂ  導出面
ＳＭ  シール機構
ＡＳ  空気層
４０  シール部材
４１  仕切部材
４２  閉塞部材
【図１】
2020038044.tif 000003
【図２】
2020038044.tif 000004
【図３】
2020038044.tif 000005
【図４】
2020038044.tif 000006
【図５】
2020038044.tif 000007
【図６】
2020038044.tif 000008
【図７】
2020038044.tif 000009